(57)【要約】【課題】一体化された機器がそれぞれ有するＯＳＤに関する画面の表示を好適に行うことができる投射型映像表示装置を実現する。【解決手段】所定の画像情報を出力するＤＶＤプレーヤ１０と、ＤＶＤプレーヤ１０が出力した画像情報に基づく画像を所定のスクリーンに投射して表示するプロジェクタ２０とを備える投射型映像表示装置１００において、ＤＶＤプレーヤ１０とプロジェクタ２０とはそれぞれ、ＤＭＤ表示部２４に表示する画像の画質に関する調整を行うためのＯＳＤ情報を有しており、プロジェクタ２０が備えるＯＳＤ情報選択制御手段（例えば、ＣＰＵ２３）によって、ＤＶＤプレーヤ１０が有するＯＳＤ情報と、プロジェクタ２０が有するＯＳＤ情報の、いずれか一方を有効にし、他方を無効とする制御処理を行い、ＯＳＤ情報選択制御手段が有効とした一方のＯＳＤ情報をＤＭＤ表示部２４に表示する構成にした。【選択図】図１
2006146005.tif 000002
【特許請求の範囲】
【請求項１】
所定の表示手段に表示する画像の画質に関する調整を行うためのＯＳＤ情報を有し、そのＯＳＤ情報に関する表示を前記表示手段に行う機能を有するとともに、所定の画像情報を出力する画像出力部と、
前記表示手段に表示する画像の画質に関する調整を行うためのＯＳＤ情報を有し、そのＯＳＤ情報に関する表示を前記表示手段に行う機能を有するとともに、前記画像出力部が出力した前記画像情報に基づく画像を、所定のスクリーンに投射して表示する映像表示部と、を備え、
前記映像表示部は、所定の画像情報を出力するとともにＯＳＤ情報に関する表示を前記表示手段に行う機能を有する外部画像出力装置から、その画像情報の入力を受け付ける画像情報入力手段と、
前記画像出力部または外部画像出力装置が有するＯＳＤ情報と、前記映像表示部が有するＯＳＤ情報のうち、前記映像表示部が有するＯＳＤ情報を有効にし、他方を無効とするＯＳＤ情報選択制御手段と、を備え、前記ＯＳＤ情報選択制御手段が有効とした前記映像表示部が有するＯＳＤ情報を前記表示手段に表示することを特徴とする投射型映像表示装置。
【請求項２】
所定の表示手段に表示する画像の画質に関する調整を行うためのＯＳＤ情報を有し、そのＯＳＤ情報に関する表示を前記表示手段に行う機能を有するとともに、所定の画像情報を出力する画像出力部と、
前記表示手段に表示する画像の画質に関する調整を行うためのＯＳＤ情報を有し、そのＯＳＤ情報に関する表示を前記表示手段に行う機能を有するとともに、前記画像出力部が出力した前記画像情報に基づく画像を、所定のスクリーンに投射して表示する映像表示部と、を備え、
前記映像表示部は、前記画像出力部が有するＯＳＤ情報と、前記映像表示部が有するＯＳＤ情報の、いずれか一方を有効にし、他方を無効とするＯＳＤ情報選択制御手段を備え、前記ＯＳＤ情報選択制御手段が有効とした一方のＯＳＤ情報を前記表示手段に表示することを特徴とする投射型映像表示装置。
【請求項３】
前記映像表示部は、所定の画像情報を出力するとともにＯＳＤ情報に関する表示を前記表示手段に行う機能を有する外部画像出力装置から、その画像情報の入力を受け付ける画像情報入力手段を備え、
前記ＯＳＤ情報選択制御手段は、前記外部画像出力装置が有するＯＳＤ情報と、前記映像表示部が有するＯＳＤ情報の、いずれか一方を有効にし、他方を無効とすることを特徴とする請求項２に記載の投射型映像表示装置。
【請求項４】
前記ＯＳＤ情報選択制御手段は、前記映像表示部が有するＯＳＤ情報を有効とすることを特徴とする請求項２又は３に記載の投射型映像表示装置。
【発明の詳細な説明】
【技術分野】
【０００１】
本発明は、投射型映像表示装置に関する。
【背景技術】
【０００２】
近年、ＶＴＲ（ビデオテープレコーダ）とＰＣ（パーソナルコンピュータ）とが一体化された装置において、ＶＴＲからのＶＴＲ信号の入力と、ＰＣからのＰＣ信号の入力とを、容易な操作で切り替えることを可能にし、ＰＣのＣＲＴ画面にＶＴＲ信号に基づくＶＴＲ画像と、ＰＣ信号に基づくＰＣ画像の表示を切り替えて出力することができる技術が知られている（例えば、特許文献１参照。）。
【０００３】
また、近年、ＤＶＤ（Digital Versatile Disk）プレーヤとテレビとが一体化された表示装置が知られている（例えば、特許文献２参照。）。
【０００４】
この表示装置において、表示装置のモニタにテレビの画質調整用のメニュー画面が表示されている場合には、ＤＶＤプレーヤのＯＳＤ（On Screen Display）画面をモニタに表
示することができないように切り替え、また、表示装置のモニタにテレビの画質調整用のメニュー画面が表示されていない場合には、ＤＶＤプレーヤのＯＳＤ画面をモニタに表示することをできるように切り替える制御が行われるようになっており、メニュー画面とＯＳＤ画面とが重なり合わないようになっている。
【０００５】
また、従来、光源から放射された光を液晶パネル等の表示デバイスにより変調した後、光学レンズを通してスクリーン上に投射することによって映像を表示するプロジェクタなどの投射型映像表示装置が知られている。
【０００６】
そして、近時、プロジェクタとＤＶＤプレーヤなどのＡＶ機器等を一体化し、ＤＶＤプレーヤなどの機器が出力するの映像を、プロジェクタを介するようにスクリーン上に投射して、その映像を表示する投射型映像表示装置のニーズが高まりつつある。
【特許文献１】特開平７−３３４１３４号公報
【特許文献２】特開２００２−３００４９４号公報
【発明の開示】
【発明が解決しようとする課題】
【０００７】
しかしながら、プロジェクタとＤＶＤプレーヤは、それぞれのＯＳＤ画面を有し、それぞれのＯＳＤ画面を介して画質調整を行うようになっているため、プロジェクタとＤＶＤプレーヤなどの機器を一体化した装置において、それぞれのＯＳＤ画面が別個に表示されたり、重なるように表示されたりすることにより、見栄えが悪いという問題があった。
【０００８】
また、上記特許文献１，２の場合、一体化されたそれぞれの機器が、それぞれのＯＳＤ画面を有するということはなかったので、それぞれの機器におけるそれぞれのＯＳＤ画面を好適に表示するための技術は呈示されていなかった。
【０００９】
本発明の目的は、一体化された機器がそれぞれ有するＯＳＤに関する画面の表示を好適に行うことができる投射型映像表示装置を提供することである。
【課題を解決するための手段】
【００１０】
以上の課題を解決するため、請求項１記載の発明は、投射型映像表示装置であって、所定の表示手段に表示する画像の画質に関する調整を行うためのＯＳＤ情報を有し、そのＯＳＤ情報に関する表示を前記表示手段に行う機能を有するとともに、所定の画像情報を出力する画像出力部と、前記表示手段に表示する画像の画質に関する調整を行うためのＯＳＤ情報を有し、そのＯＳＤ情報に関する表示を前記表示手段に行う機能を有するとともに
、前記画像出力部が出力した前記画像情報に基づく画像を、所定のスクリーンに投射して表示する映像表示部と、を備え、前記映像表示部は、所定の画像情報を出力するとともにＯＳＤ情報に関する表示を前記表示手段に行う機能を有する外部画像出力装置から、その画像情報の入力を受け付ける画像情報入力手段と、前記画像出力部または外部画像出力装置が有するＯＳＤ情報と、前記映像表示部が有するＯＳＤ情報のうち、前記映像表示部が有するＯＳＤ情報を有効にし、他方を無効とするＯＳＤ情報選択制御手段と、を備え、前記ＯＳＤ情報選択制御手段が有効とした前記映像表示部が有するＯＳＤ情報を前記表示手段に表示することを特徴とする。
【００１１】
請求項２記載の発明は、投射型映像表示装置であって、所定の表示手段に表示する画像の画質に関する調整を行うためのＯＳＤ情報を有し、そのＯＳＤ情報に関する表示を前記表示手段に行う機能を有するとともに、所定の画像情報を出力する画像出力部と、前記表示手段に表示する画像の画質に関する調整を行うためのＯＳＤ情報を有し、そのＯＳＤ情報に関する表示を前記表示手段に行う機能を有するとともに、前記画像出力部が出力した前記画像情報に基づく画像を、所定のスクリーンに投射して表示する映像表示部と、を備え、前記映像表示部は、前記画像出力部が有するＯＳＤ情報と、前記映像表示部が有するＯＳＤ情報の、いずれか一方を有効にし、他方を無効とするＯＳＤ情報選択制御手段を備え、前記ＯＳＤ情報選択制御手段が有効とした一方のＯＳＤ情報を前記表示手段に表示することを特徴とする。
【００１２】
請求項３記載の発明は、請求項２に記載の投射型映像表示装置において、前記映像表示部は、所定の画像情報を出力するとともにＯＳＤ情報に関する表示を前記表示手段に行う機能を有する外部画像出力装置から、その画像情報の入力を受け付ける画像情報入力手段を備え、前記ＯＳＤ情報選択制御手段は、前記外部画像出力装置が有するＯＳＤ情報と、前記映像表示部が有するＯＳＤ情報の、いずれか一方を有効にし、他方を無効とすることを特徴とする。
【００１３】
請求項４記載の発明は、請求項２又は３に記載の投射型映像表示装置において、前記ＯＳＤ情報選択制御手段は、前記映像表示部が有するＯＳＤ情報を有効とすることを特徴とする。
【発明の効果】
【００１４】
請求項１記載の発明によれば、投射型映像表示装置は、所定の画像情報を出力する画像出力部と、画像出力部が出力した画像情報に基づく画像を所定のスクリーンに投射して表示する映像表示部とを備え、画像出力部と映像表示部とが一体化された装置である。また、投射型映像表示装置の映像表示部は、所定の画像情報を出力するとともにＯＳＤ情報に関する表示を表示手段に行う機能を有する外部画像出力装置から、その画像情報の入力を受け付ける画像情報入力手段を備えている。
【００１５】
この投射型映像表示装置において、映像表示部が備えるＯＳＤ情報選択制御手段によって、画像出力部または外部画像出力装置が有するＯＳＤ情報と、映像表示部が有するＯＳＤ情報のうち、映像表示部が有するＯＳＤ情報を有効にし、他方を無効とする制御処理を可能とするとともに、特に、ＯＳＤ情報選択制御手段が有効とした映像表示部が有するＯＳＤ情報を表示手段に表示することができるようになっている。
【００１６】
つまり、画像出力部または外部画像出力装置と、映像表示部がそれぞれ有するＯＳＤ情報のうち、映像表示部のＯＳＤ情報のみを表示手段に表示することにより、投射型映像表示装置において、見栄えよく、統一感のあるＯＳＤ情報に関する画面の表示を好適に行うことができる。特に、映像表示部と接続される画像出力部や外部画像出力装置など各種機器の画像の画質の調整を映像表示部側で同じように行うことができるので、映像表示部と接続される各種機器ごとに、画像の画質の調整が異なるのでなく、同じ操作により調整することが可能となるので、より簡便に画像の画質の調整を行うことができるようになる。
【００１７】
よって、この投射型映像表示装置は、一体化された画像出力部と映像表示部がそれぞれ有するＯＳＤに関する画面の表示を好適に行うことができる投射型映像表示装置であるといえる。
【００１８】
請求項２記載の発明によれば、投射型映像表示装置は、所定の画像情報を出力する画像出力部と、画像出力部が出力した画像情報に基づく画像を所定のスクリーンに投射して表示する映像表示部とを備え、画像出力部と映像表示部とが一体化された装置である。
【００１９】
この投射型映像表示装置において、画像出力部と映像表示部とはそれぞれ、所定の表示手段に表示する画像の画質に関する調整を行うためのＯＳＤ情報を有しているが、映像表示部が備えるＯＳＤ情報選択制御手段によって、画像出力部が有するＯＳＤ情報と、映像表示部が有するＯＳＤ情報の、いずれか一方を有効にし、他方を無効とする制御処理を可能とし、ＯＳＤ情報選択制御手段が有効とした一方のＯＳＤ情報を表示手段に表示することができるようになっている。
【００２０】
つまり、画像出力部と映像表示部とがそれぞれ有するＯＳＤ情報のうち、一方のＯＳＤ情報のみを表示手段に表示することにより、画像出力部と映像表示部とが一体化された投射型映像表示装置において、見栄えよく、統一感のあるＯＳＤ情報に関する画面の表示を好適に行うことができる。
【００２１】
よって、この投射型映像表示装置は、一体化された画像出力部と映像表示部がそれぞれ有するＯＳＤに関する画面の表示を好適に行うことができる投射型映像表示装置であるといえる。
【００２２】
請求項３記載の発明によれば、請求項２に記載の発明と同様の効果が得られることは無論のこと、投射型映像表示装置の映像表示部は、外部画像出力装置からの画像情報の入力を受け付ける画像情報入力手段を備えているので、投射型映像表示装置は、その外部に別体に配設される外部画像出力装置から画像情報入力手段を介して入力された画像情報に基づく画像を、所定のスクリーンに投射して表示することができる。
【００２３】
そして、投射型映像表示装置のＯＳＤ情報選択制御手段は、外部画像出力装置が有するＯＳＤ情報と、映像表示部が有するＯＳＤ情報の、いずれか一方を有効にし、他方を無効とすることができるので、ＯＳＤ情報選択制御手段が有効とした一方のＯＳＤ情報を表示手段に表示することができる。
【００２４】
請求項４記載の発明によれば、請求項２又は３に記載の発明と同様の効果が得られることは無論のこと、投射型映像表示装置のＯＳＤ情報選択制御手段は、映像表示部が有するＯＳＤ情報を有効とするようになっているので、投射型映像表示装置において、映像表示部と接続される画像出力部や外部画像出力装置など各種機器の画像の画質の調整を映像表示部側で同じように行うことができる。
【００２５】
つまり、映像表示部と接続される各種機器ごとに、画像の画質の調整が異なるのでなく、同じ操作により調整することが可能となるので、より簡便に画像の画質の調整を行うことができるようになる。
【発明を実施するための最良の形態】
【００２６】
以下、図面を参照して本発明に係る投射型映像表示装置の実施の形態について詳細に説明する。
【００２７】
図１は、本発明に係る投射型映像表示装置の要部構成を示すブロック図である。
【００２８】
図１に示すように、投射型映像表示装置１００は、画像出力部であるＤＶＤプレーヤ１０と、映像表示部であるプロジェクタ２０と、を備えている。つまり、投射型映像表示装置１００は、ＤＶＤプレーヤとプロジェクタとが一体化された装置であるといえる。
【００２９】
ＤＶＤプレーヤ１０は、記録媒体であるＤＶＤ（Digital Versatile Disk）１に記録さ
れている画像情報や音声情報を読み出すとともに、その画像情報や音声情報をプロジェクタ２０の後述する入力選択部２１に出力するデコーダ１１と、ＤＶＤプレーヤ１０におけるＯＳＤ（On Screen Display）機能に関する情報等を記憶するＥＥＰＲＯＭ１２と、Ｄ
ＶＤプレーヤ１０の各部を制御するＣＰＵ１３等を備えている。
【００３０】
デコーダ１１は、ＤＶＤ１に記録されている画像情報や音声情報を解読するとともに、所定の画像データや音声データに変換してプロジェクタ２０の入力選択部２１に出力する。
【００３１】
ＥＥＰＲＯＭ１２には、ＤＶＤプレーヤ１０におけるＯＳＤ機能に関する情報（ＯＳＤ情報）や、ＤＶＤプレーヤ１０の動作等に関する各種制御プログラムや各種データが記憶されている。
【００３２】
なお、ＯＳＤ機能に関する情報とは、後述するＤＭＤ表示部２４などの表示手段に表示する画像の画質に関する調整を行うためのＯＳＤ機能を示すアイコンの表示を行うためのアイコン画像データや、そのＯＳＤ機能に対応して画像の画質に関するレベルや数値などを示す画質データや、そのＯＳＤ機能を示すアイコンなどに基づいてＤＭＤ表示部２４に表示する画像の画質に関する調整を行うための制御データなどである。
【００３３】
なお、ＤＭＤ表示部２４は、例えば、所定の画像情報（画像データ）をデジタルマイクロミラーデバイス（Digital Micromirror Device）などを介するようにして、その画像情報に基づく画像を所定のスクリーンに投射して表示するディスプレイである。
【００３４】
ＣＰＵ１３は、図示しない入力部等から入力される操作信号や、画質データなどの設定データ値等に応じて、ＥＥＰＲＯＭ１２に格納されているＤＶＤプレーヤ用の各種制御プログラムに従って各部の動作を集中制御し、その処理結果を図示しないＲＡＭ内のワークエリアに格納する。
【００３５】
そして、ＣＰＵ１３は、ＤＶＤプレーヤ１０を構成する各部の動作を制御する。特に、ＣＰＵ１３は、そのＯＳＤ情報（例えば、アイコン画像データや画質データ）に関する表示をＤＭＤ表示部２４などの表示手段に行ったり、プロジェクタ２０側で調整されたＯＳＤ情報の画質データなどを受け付けたりするように、プロジェクタ２０の後述するＣＰＵ２３と各種情報やデータの授受を行う機能を有する。
【００３６】
プロジェクタ２０は、ＤＶＤプレーヤ１０などが出力した画像情報や音声情報に基づく画像データや音声データの入力を受け付ける画像情報入力手段としての入力選択部２１と、入力選択部２１を介して入力された画像情報（画像データ）に基づく画像や、ＯＳＤ画像などを表示する所定の表示手段としてのＤＭＤ表示部２４と、プロジェクタ２０におけるＯＳＤ機能に関する情報等を記憶するＥＥＰＲＯＭ２２と、プロジェクタ２０の各部を制御するＣＰＵ２３等を備えている。
【００３７】
入力選択部２１は、ＤＶＤプレーヤ１０や、外部画像出力装置であるＰＣ（パーソナルコンピュータ）３０やＶＴＲ（ビデオテープレコーダ）４０が出力した画像情報や音声情報に基づく画像データや音声データの入力を受け付ける機能を有し、入力された画像データをＤＭＤ表示部２４に出力し、音声データを図示しない音声出力部に出力する。
【００３８】
ＤＭＤ表示部２４は、入力選択部２１を介して入力された画像データに基づく画像や映像を表示する。
【００３９】
また、ＤＭＤ表示部２４は、ＤＶＤプレーヤ１０におけるＯＳＤ情報やプロジェクタ２０におけるＯＳＤ情報に関する表示を行う。
【００４０】
ＥＥＰＲＯＭ２２には、プロジェクタ２０におけるＯＳＤ機能に関する情報（ＯＳＤ情報）や、プロジェクタ２０の動作等に関する各種制御プログラムや各種データが記憶され
ている。
【００４１】
なお、ＯＳＤ機能に関する情報とは、ＤＭＤ表示部２４などの表示手段に表示する画像の画質に関する調整を行うためのＯＳＤ機能を示すアイコンの表示を行うためのアイコン画像データや、そのＯＳＤ機能に対応して画像の画質に関するレベルや数値などを示す画質データや、そのＯＳＤ機能を示すアイコンなどに基づいてＤＭＤ表示部２４に表示する画像の画質に関する調整を行うための制御データなどである。
【００４２】
ＤＭＤ表示部２４に表示するプロジェクタ２０におけるＯＳＤ機能を示すアイコンとしては、例えば、図２に示すように、（ａ）シャープネス、（ｂ）ズーム、（ｃ）パニング、（ｄ）水平／垂直スケール調整、（ｅ）位置調整、（ｆ）ブライト、（ｇ）カラーバー、（ｈ）リセット、などがある。
【００４３】
図２（ａ）のシャープネスの機能は、８段階のシャープネス調整で、画面の明瞭度を調整するものである。
【００４４】
図２（ｂ）のズームの機能は、水平／垂直方向の両方のズームインを調整するものである。
【００４５】
図２（ｃ）のパニング（画面分割）の機能は、水平／垂直方向に画面を分割するためのものである。
【００４６】
図２（ｄ）の水平／垂直スケール調整の機能は、水平／垂直方向のスケールを表示し、画面のサイズを調整するためのものである。
【００４７】
図２（ｅ）の位置調整の機能は、表示画面の水平／垂直方向の位置を調整するためのものである。
【００４８】
図２（ｆ）のブライトの機能は、４段階のブライト調整で、画面の明るさを調整するものである。
【００４９】
図２（ｇ）のカラーバーの機能は、カラーバーの表示を行い、色調整を行うためのものである。
【００５０】
図２（ｈ）のリセットの機能は、現在の設定値を初期設定値に戻すためのものである。
【００５１】
なお、このようなＯＳＤ機能を示すアイコン等のデータは、ＤＶＤプレーヤ１０のＥＥＰＲＯＭ１２にもＤＶＤプレーヤにおけるＯＳＤ機能を示すアイコンとして記憶されているが、ＤＶＤプレーヤ１０とプロジェクタ２０のアイコンの図形形状などは異なることが多い。
【００５２】
ＣＰＵ２３は、図示しない入力部等から入力される操作信号や、画質データなどの設定データ値等に応じて、ＥＥＰＲＯＭ２２に格納されているプロジェクタ用の各種制御プログラムに従って各部の動作を集中制御し、その処理結果を図示しないＲＡＭ内のワークエリアに格納する。そして、ＣＰＵ２３は、プロジェクタ２０を構成する各部の動作を制御する。
【００５３】
ＣＰＵ２３は、ＯＳＤ情報選択制御手段として、ＤＶＤプレーヤ１０が有するＯＳＤ情報と、プロジェクタ２０が有するＯＳＤ情報の、いずれか一方を有効にし、他方を無効とするとともに、ＯＳＤ情報選択制御手段としてのＣＰＵ２３が有効とした一方のＯＳＤ情報をＤＭＤ表示部２４に表示する制御を行う。
【００５４】
また、ＯＳＤ情報選択制御手段としてのＣＰＵ２３は、外部画像出力装置であるＰＣ３０やＶＴＲ４０が有するＯＳＤ情報と、プロジェクタ２０が有するＯＳＤ情報の、いずれか一方を有効にして他方を無効とするとともに、ＣＰＵ２３が有効とした一方のＯＳＤ情報をＤＭＤ表示部２４に表示する制御を行う。
【００５５】
なお、ＤＶＤプレーヤ１０やＰＣ３０、ＶＴＲ４０が有するＯＳＤ情報と、プロジェクタ２０が有するＯＳＤ情報の、いずれを有効にするかの設定は、図示しない入力部の設定切り替えキーなどの操作により切り替え可能となっており、その設定条件は、例えば、プロジェクタ２０の図示しないＲＡＭに記憶され格納されるようになっている。
【００５６】
そして、プロジェクタ２０と接続されるＤＶＤプレーヤ１０やＰＣ３０、ＶＴＲ４０など各種機器の画像や映像の画質の調整を同じように行う上で簡便であるため、投射型映像表示装置１００において、通常はプロジェクタ２０が有するＯＳＤ情報を有効にするための設定がなされている。
【００５７】
また、ＣＰＵ２３は、そのＯＳＤ情報（例えば、アイコン画像データや画質データ）に関する表示をＤＭＤ表示部２４などの表示手段に行ったり、プロジェクタ２０側で調整したＯＳＤ情報の画質データなどをＤＶＤプレーヤ１０のＣＰＵ１３に出力したりするように、ＤＶＤプレーヤ１０のＣＰＵ１３と各種情報やデータの授受を行う機能を有する。
【００５８】
次に、投射型映像表示装置１００における、ＯＳＤ情報の処理の一例について、図３に示すフローチャートに基づき説明する。
【００５９】
まず、投射型映像表示装置１００において、プロジェクタ２０に備えられている図示しないメインスイッチが押下されたことに基づく起動信号の入力を、プロジェクタ２０のＣＰＵ２３が検知すると（ステップＳ１０１）、ＣＰＵ２３は、ＤＶＤプレーヤ１０のＣＰＵ１３に、セットアップリモート信号を出力する（ステップＳ１０２）。
【００６０】
次いで、ＤＶＤプレーヤ１０のＣＰＵ１３が、プロジェクタ２０からのセットアップリモート信号の入力を検知すると（ステップＳ１０３）、ＣＰＵ１３は、プロジェクタ２０のＣＰＵ２３に、ＤＶＤプレーヤ１０におけるＯＳＤ情報とともにセットアップ表示ビットセット信号を出力する（ステップＳ１０４）。
【００６１】
次いで、ＣＰＵ２３が、入力されたＤＶＤプレーヤ１０におけるＯＳＤ情報とともにセットアップ表示ビットセット信号を検知すると（ステップＳ１０５）、ＣＰＵ２３は、所定の設定条件に基づき、ＤＶＤプレーヤ１０が有するＯＳＤ情報を無効とし、プロジェクタ２０が有するＯＳＤ情報を有効とするとともに（ステップＳ１０６）、有効としたプロジェクタ２０が有するＯＳＤ情報に関するアイコン（例えば、図２に示すアイコン）や各種データを、ＤＭＤ表示部２４に表示する（ステップＳ１０７）。
【００６２】
そして、プロジェクタ２０において、図示しない入力部等を介してＯＳＤ情報における画質データの変更や調整が行われる。
【００６３】
次いで、ＣＰＵ２３は、図示しない入力部等を介して入力される、ＯＳＤ情報における画質データを確定する確定信号が入力されたか否かを判断する（ステップＳ１０８）。
【００６４】
ＣＰＵ２３が、確定信号の入力を検知しないと（ステップＳ１０８；Ｎｏ）、ステップＳ１０７に戻る。
【００６５】
一方、ＣＰＵ２３が、確定信号の入力を検知すると（ステップＳ１０８；Ｙｅｓ）、ＣＰＵ２３は、確定信号が入力された際に、調整し設定されていたＯＳＤ情報における画質データを新たな画質データとするように、新たなＯＳＤ情報をＥＥＰＲＯＭ２２に一時的に記憶する（ステップＳ１０９）。
【００６６】
そして、その新たなＯＳＤ情報に関するデータとセットアップリモート信号をＣＰＵ１３に出力する（ステップＳ１１０）。
【００６７】
次いで、ＣＰＵ１３が、新たなＯＳＤ情報に関するデータとセットアップリモート信号の入力を検知すると（ステップＳ１１１）、ＣＰＵ１３は、その新たなＯＳＤ情報をＥＥＰＲＯＭ１２に記憶する（ステップＳ１１２）。
【００６８】
そして、ＣＰＵ１３は、ＣＰＵ２３に、セットアップ表示ビットクリアを示す信号を出力する（ステップＳ１１３）。
【００６９】
次いで、ＣＰＵ２３が、入力されたセットアップ表示ビットクリアを示す信号を検知す
ると（ステップＳ１１４）、ＣＰＵ２３は、ＤＭＤ表示部２４に表示されているＯＳＤ情報に関する表示を消去し（ステップＳ１１５）、処理を終了する。
【００７０】
このように、ＤＶＤプレーヤ１０とプロジェクタ２０とが一体化された装置である投射型映像表示装置１００は、ＤＶＤプレーヤ１０が有するＯＳＤ情報と、プロジェクタ２０が有するＯＳＤ情報の、いずれか一方のＯＳＤ情報を有効とし、その有効とされた一方のＯＳＤ情報に関する表示をＤＭＤ表示部２４に行うことができる。そして、ＤＭＤ表示部２４に表示された、有効とされた一方のＯＳＤ情報（例えば、プロジェクタ２０の有するＯＳＤ情報）に関する各種データの調整、変更を行うことができ、また、その一方のＯＳＤ情報に関する各種データの調整、変更結果を、他方のＯＳＤ情報（例えば、ＤＶＤプレーヤ１０の有するＯＳＤ情報）にも反映させることができる。
【００７１】
つまり、ＤＶＤプレーヤ１０とプロジェクタ２０とがそれぞれ有するＯＳＤ情報のうち、一方のＯＳＤ情報のみをＤＭＤ表示部２４に表示することにより、ＤＶＤプレーヤ１０とプロジェクタ２０とが一体化された投射型映像表示装置１００において、それぞれのＯＳＤ情報が重なるように表示されたり、別個に表示されたりすることがなくなるので、見栄えよく、統一感のあるＯＳＤ情報に関する画面の表示を好適に行うことができる。
【００７２】
そして、一体とされた一方の機器であるプロジェクタ２０側で調整、変更されたＯＳＤ情報に関する各種データに基づき、他方の機器であるＤＶＤプレーヤ１０側のＯＳＤ情報に関する各種データを調整、変更することができるので、投射型映像表示装置１００としての統一感を保つことができる。
【００７３】
なお、以上の実施の形態においては、ＤＶＤプレーヤ１０とプロジェクタ２０とが一体化された装置である投射型映像表示装置１００において、プロジェクタ２０が有するＯＳＤ情報を有効とする処理例について説明したが、本発明はこれに限定されるものではなく、ＤＶＤプレーヤ１０が有するＯＳＤ情報を有効とする処理を行うようにしてもよい。
【００７４】
また、外部画像出力装置であるＰＣ３０やＶＴＲ４０が有するＯＳＤ情報と、プロジェクタ２０が有するＯＳＤ情報に関する処理も、ＤＶＤプレーヤ１０とプロジェクタ２０との場合と同様である。
【００７５】
また、その他、具体的な細部構造等についても適宜に変更可能であることは勿論である。
【図面の簡単な説明】
【００７６】
【図１】本発明に係る投射型映像表示装置の要部構成を示すブロック図である。
【図２】ＯＳＤ機能を示すアイコンの一例を示す説明図である。
【図３】本発明に係る投射型映像表示装置のＯＳＤ情報に関する動作処理を示すフローチャートである。
【符号の説明】
【００７７】
１      ＤＶＤ
１０    ＤＶＤプレーヤ（画像出力部）
１１    デコーダ
１２    ＥＥＰＲＯＭ
１３    ＣＰＵ
２０    プロジェクタ（映像表示部）
２１    入力選択部（画像情報入力手段）
２２    ＥＥＰＲＯＭ
２３    ＣＰＵ（ＯＳＤ情報選択制御手段）
２４    ＤＭＤ表示部（表示手段）
３０    ＰＣ（外部画像出力装置）
４０    ＶＴＲ（外部画像出力装置）
１００  投射型映像表示装置
【図１】
2006146005.tif 000003
【図２】
2006146005.tif 000004
【図３】
2006146005.tif 000005